(57)【特許請求の範囲】
【請求項１】
取付杆にスライド可能に取付けた樋支持具本体を、ロック機構によって所望の位置に固定するようにした雨樋支持具において、
上記樋支持具本体は、その前後に樋取付部を設け、かつ上面にガイド長孔、下面に開口を形成し、更に、その内部に一対の凹凸レールを設けた空洞部を有した構造になっており、
上記ロック機構は、上記ガイド長孔を上下に貫通する連結部材によって上記取付杆と一体化した本体部を備え、且つ上記空洞部の凹凸レールに係止される一対の弾性爪を少なくとも有した第１ロック部材と、
ストッパー部と操作部とを有し、この操作部の前後操作に伴って、前記ストッパー部が、上記第１ロック部材の弾性爪を上記凹凸レールの谷部にロック状態又はアンロック状態に規制するとともに、上記第１ロック部材に対して前後移動可能に結合した第２ロック部材とを組み合わせて構成したことを特徴とする雨樋支持具。
【請求項２】
請求項１において、
上記第２ロック部材には、上記操作部から延設した連結脚部の先端に、内側へ突出させた弾性抱持爪を形成し、上記第１ロック部材には、前記第２ロック部材がロック位置へ移動したときに、その弾性抱持爪を嵌入させる凹所を有するガイド壁溝を形成している。
【請求項３】
請求項１、２のいずれかにおいて、
上記雨樋支持具本体に形成された凹凸レールが、山部と谷部を一定ピッチで連続させた波形形状に形成された構造になっている。
【発明の詳細な説明】
【０００１】
【発明の属する技術分野】
本発明は、建造物等の軒先付近に取付けられる雨樋支持具に関し、詳しくは、軒先・軒うら等に固定される取付杆にスライド可能に取付けた樋支持具本体を、ロック機構によって所望の位置に固定するようにした雨樋支持具に関する。
【０００２】
【従来の技術】
図５は、特許第２７４５１２０号公報に開示された従来の雨樋支持具の要部を示す拡大断面図である。
【０００３】
本件公報の雨樋支持具１００は、取付杆１０１とスライド可能に連結した樋支持具本体１０２と、上方向に引き上げて回動させるロックレバー１０３を有するロック機構１０４を備え、これらを上下に貫通する結合軸１０５で結合したものであり、上記ロックレバー１０３の回動に伴って、上記結合軸１０５が引き上げられることでプレート１０６を上方向に持ち上げ、このプレート１０６上に形成したのカム部１０７を、上記樋支持具本体１０２下面に形成した谷部１０８に係合させてこの樋支持具本体１０２のスライドをロック状態とするものである。
【０００４】
図６は、本出願人が先に考案し、実用新案登録第３０５００９８号公報に開示された従来の雨樋支持具の要部を示す拡大断面図である。
【０００５】
本件公報の雨樋支持具２００は、取付杆２０１とスライド可能に連結した樋支持具本体２０２と、水平方向に回転させるロックレバー２０３を有するロック機構２０４を備え、これらを上下に貫通する結合軸２０５で結合したものであり、上記ロックレバー２０３の横まわし回転に伴って、プレート２０６が上方向に持ち上げられ、このプレート２０６上に形成したカム部２０７を、上記樋支持具本体２０２下面に形成した谷部２０８に係合させてこの樋支持具本体２０２のスライドをロック状態とするものである。
【０００６】
【発明が解決しようとする課題】
しかし、従来の軒樋支持具には、以下の問題がある。
【０００７】
ロック機構として、従来の雨樋支持具は、ロックレバーを各々上方向又は横方向の何れかに回転させるものである。
【０００８】
ロックレバーを上方向へ回転させるロック機構では、ロックレバーの回動に伴い、結合軸を引き上げる構造であるので、構造が複雑であるとともに、上方にロックレバーを回転させるためにこのロックレバーの長さ分だけ上方に広い空間を確保することが必要であり、屋根裏に近接する場所では上方に操作し辛いという問題がある。
【０００９】
ロックレバーを横方向へ回転させるロック機構では、上記問題は生じないが、ロックレバーを横方向に回転させるための把持部分を大きく形成することとなり、このロックレバーが完全に露出されているため目立ち、取付け後における外観上の問題がある。
【００１０】
また、両者とも２本の指でロックレバーを引き上げたり、捩り回転させる操作し辛い問題がある。
【００１１】
さらに、両者ともプレートを上方に持ち上げ、このプレート上に形成したカム部を、上記樋支持具本体下面形成した谷部に各々係合させて、この樋支持具本体をロック状態とするものであり、プレートを必須の要件としている。
【００１２】
加えて、上記カム部が係合しない状態、即ち、アンロック状態では、上記樋支持具本体はスライドされるが、そのスライドに際してスムーズに行える反面、抵抗感が無いためにスライド調節時における操作感覚が悪いという問題がある。
【００１３】
本発明は、上記課題を解決することを目的とし、ロック機構としてプレートを必要とせず、指一本で簡単に樋支持具本体をロック又はアンロック状態にでき、また、スライド調節時における操作感覚を得られるうえ、取付け後の外観もシンプルでスマートな簡易な構造の軒樋支持具を提供するものである。
【００１４】
【課題を解決するための手段】
上記目的を達成するため、
請求項１係る発明は、取付杆にスライド可能に取付けた樋支持具本体を、ロック機構によって所望の位置に固定するようにした雨樋支持具において、
上記樋支持具本体は、その前後に樋取付部を設け、かつ上面にガイド長孔、下面に開口を形成し、更に、その内部に一対の凹凸レールを設けた空洞部を有した構造になっており、
上記ロック機構は、上記ガイド長孔を上下に貫通する連結部材によって上記取付杆と一体化した本体部を備え、且つ上記空洞部の凹凸レールに係止される一対の弾性爪を少なくとも有した第１ロック部材と、
ストッパー部と操作部とを有し、この操作部の前後操作に伴って、前記ストッパー部が、上記第１ロック部材の弾性爪を上記凹凸レールの谷部にロック状態又はアンロック状態に規制するとともに、上記第１ロック部材に対して前後移動可能に結合した第２ロック部材とを組み合わせて構成したことを特徴とする。
【００１５】
請求項１では、上記樋支持具本体に設けた空洞部にロック機構を収容できるため、外観もシンプルでスマートな構造となっている。
【００１６】
また、ロック機構の上記操作部を水平に前後移動させて上記樋支持具本体のスライドをロック又はアンロック状態にした構造であるため、プレートを必要とせず指一本で簡単且つ確実な操作を行うことができる。
【００１７】
更に、ロック機構は、連結部材を除けば、第１ロック部と第２ロック部とを一体的に結合した簡易な構造となっている。
請求項２に係る発明は、 請求項１において、
上記第２ロック部材には、上記操作部から延設した連結脚部の先端に、内側へ突出させた弾性抱持爪を形成し、上記第１ロック部材には、前記第２ロック部材がロック位置へ移動したときに、その弾性抱持爪を嵌入させる凹所を有するガイド壁溝を形成している。
【００１８】
そのため、上記弾性抱持爪がガイド壁溝の凹所に嵌入されたときにクリック音が発生するので、ロック時の感触を得ることができる。
【００１９】
請求項３に係る発明は、請求項１、２のいずれかにおいて、
上記雨樋支持具本体に形成された凹凸レールが、山部と谷部を一定ピッチで連続させた波形形状に形成された構造になっている。
【００２０】
そのため、上記弾性爪が山部、谷部に当接しながら弾性変形して移動するので、調節時にクリック音を発生しながら段階的にスライドし、位置決めが容易で操作感覚もよい。
【発明の実施の形態】
以下、本発明に係る雨樋支持具Ａを図面に基づき説明する。
【００２１】
図１は、本発明に係る雨樋支持具Ａの一実施例を示す斜視図である。
【００２２】
図中Ｒはロック機構、１はロック機構の第１ロック部材、２はロック機構の第２ロック部材、３は樋支持具本体、４は取付杆、５は連結部材を各々示しており、以下、各部材について詳説する。
【００２３】
取付杆４は、建造物の軒うら等に固定される取付足板４１の上端中央から前方に向けて足杆４２を延設し、この足杆４２の前方には段落ちされた連結杆４３が形成され、この連結杆４３には上記連結部材５の上端を固定している。
【００２４】
また、上記足杆４２後端から連結杆４３前端にまで、その両側を下方に折り曲げたガイド片４４を形成し、上記樋支持具本体３のスライドを前後方向に規制している。
【００２５】
樋支持具本体３は、スライド本体部３１の前後に樋取付部３１ａ、３１ａを設けてなり、このスライド本体部３１に上記ロック機構Ｒが取り付けられている。この取り付けた状態を図２に示している。
図２は、本発明に係る雨樋支持具の一実施例の要部を示す拡大分解斜視図であり、説明上、第１ロック部材１と第２ロック部材２を分かれた状態で示しているが、両部材１、２は連結されている。
【００２６】
上記樋支持具本体３のスライド本体部３１は、下方に開口Ｋを形成した略Ｃ字形であって、上面にガイド長孔３２を長手方向に開設し、下面には、側壁下端から内側に僅かに縁設するガイドレール３３、３３を各々形成し、該ガイドレール３３の端面、即ち、開口Ｋ側に、山部部、谷部が交互に連続する一対の凹凸レール３４、３４を対向して設けている。このように上記樋支持具本体３を形成すれば、その内側に空洞部３５を形成する構造にできる。
【００２７】
上記ロック機構Ｒは、上記空洞部３５に大半が嵌装され、上記樋支持具本体３の前後のスライドに追従しない上記第１ロック部材１と、この第１ロック部材１に対して前後へスライドするように一体的に連結されし、上記樋支持具本体３の前後のスライドを規制する第２ロック部材２とで基本的に構成している。
【００２８】
以下詳述すると、上記第１ロック部材１は、本体部１０と、該本体部１０から前方へ延設した二本の脚部１１、１１とからなり、本体部１０には、上下に貫通する軸孔１２を開設し、上記ガイド長孔３２を上下に貫通する連結部材５の下端を挿通して固定している。
【００２９】
また、本体部１０の上部には、その両側を張出して上記空洞部３５に嵌入するブロック部１３を形成しており、このブロック部１３の張出した下面１３ａを上記ガイドレール３３上に載置し、第１ロック部材１の下方への抜け止めを行っている。
【００３０】
このブロック部１３には、上記凹凸レール３４、３４間よりも幅が狭く且つ同じ高さに形成した脚台１４が連続して下設され、この脚台１４の前面両端から上記脚部１１、１１を前方に向けて延設している。
【００３１】
また、上記脚台１４に下設して、該脚台１４よりも更に内側に凹ませてガイド壁溝１５を形成しており、このガイド壁溝１５の前端側には、内側に湾曲する凹所１５ａを形成している。
【００３２】
そして、このガイド壁溝１５に下設し、上記ブロック部１３と同様に両側を張出したベース部１６を形成している。
【００３３】
一方、上記脚部１１、１１の先端には、外側に膨出させた一対の弾性爪１１ａ、１１ａを形成し、これら弾性爪１１ａ、１１ａは、上記凹凸レール３４の谷部３４ａに嵌り込み、且つその山部３４ｂを乗り越える大きさに形成している。
【００３４】
なお、この弾性爪１１ａとしては、図例のものに限定されるものではなく、例えば、上記凹凸レール３４が鋭角な山部、谷部の連続するものであれば、上記弾性爪１１ａもこれに合わせて鋭利な形状にすることも可能である。
【００３５】
また、上記脚部１１、１１の先端には、内側に向けて一対の鍔片１１ｂ、１１ｂを形成するとともに、これら鍔片１１ｂ、１１ｂの基端後ろ側には、ストッパー挟持片１１ｃ、１１ｃを連続して形成している。
上記第２ロック部材２は、操作部２１を下面に形成したスライド本体２０と、このスライド本体２０の後面上端には、２本の連結脚部２２、２２を後方、すなわち、上記第１ブロック１に向けて延設している。
【００３６】
この連結脚部２２、２２の後端（第１ロック部材側）には、内側へ突出させた弾性抱持爪２２ａ、２２ａを形成し、これら弾性抱持爪２２ａ、２２ａは、上記第１ロック部材１に形成したガイド壁溝１５の内側壁に摺動しながら、このガイド壁溝１５を前後に移動する。
【００３７】
また、上記スライド本体２０の上面であって、且つ上記連結脚部２２、２２の間には、四角柱状のストッパー部２３を立設している。
【００３８】
すなわち、このストッパー部２３は、その両側面２３ａ、２３ａが上記ストッパー挟持片１１ｃ、１１ｃと密接に嵌合する外形に形成しており、このストッパー部２３が上記ストッパー挟持片１１ｃ、１１ｃ間に嵌合したとき、上記弾性抱持爪２２ａ、２２ａが、上記ガイド壁溝１５の凹所１５ａに嵌まり込む長さに上記連結脚部２２、２２を形成している。
【００３９】
しかして、上記ロック機構Ｒは、以下のような動作を行う。
【００４０】
図３（ａ）〜（ｃ）は、ロック機構Ｒの動作を示す概略平面図である。
【００４１】
図３（ａ）は、第１ロック部材１と第２ロック部材２とが結合されていない分解状態を参考として示した概略平面図であり、この図によって、上記第１ロック部材１の弾性爪１１ａ、１１ａが、スライド本体部３１の凹凸レール３４に嵌まり込んでいる状態が理解できる。
【００４２】
つまり、第１ロック部材１の弾性爪１１ａ、１１ａを、樋支持具本体３に形成された凹凸レール３４上に当接させるとともに第１ロック部材１自体は、上下に貫通する連結部材５によって、上位のガイド長孔３２を貫通して取付杆４に固着されている。
【００４３】
そのため、上記取付杆４と第１ロック部材１は、常に固定されて定置しており、この固定位置の第１ロック部材１等に対して、上記凹凸レール３４を設けた樋支持具本体３が前後にスライドできるものである。
【００４４】
なお、この樋支持具本体３のスライド可能な範囲は、上記ガイド長孔３２によって規定されることはいうまでもない。
【００４５】
図３（ｂ）は、第１ロック部材１と第２ロック部材２とを実際に結合した状態の概略平面図であり、本図では、上記スライド本体２０と本体部１０とが接合し、ストッパー部２３が脚部１１、１１基端の間に位置づけられている。
【００４６】
この状態では、第１ブロック１の脚部１１先端に設けた上記弾性爪１１ａ、１１ａが、この脚部１１の弾性によって内側へ付勢することができるので、上記スライド本体３１を前後に移動することが可能となり、この移動に伴い上記弾性爪１１ａ、１１ａはカチカチと音を出しながら、その凹凸レール３４の谷部３４ａや山部３４ｂに沿ってこれを乗り越えるのである。
【００４７】
また、図４は、図３（ｂ）の状態を中央で長さ方向に縦切断した状態を部分拡大した中央縦断面図であり、本図では上記取付杆４と第１ロック部材１は、常に固定されて定置しており、この固定位置の第１ロック部材１等に対して、上記凹凸レール３４を設けた樋支持具本体３が前後にスライドできることが理解できる。
【００４８】
すなわち、 図３（ｂ）は、樋支持具本体３が前後にスライド可能な状態にあるアンロック状態を示している。
【００４９】
図３（ｃ）は、図３（ｂ）とは逆に上記樋支持具本体３が前後にスライドできない状態、つまりロック状態を示している。
【００５０】
本図のようなロック状態にするには、極めて簡単で、図２に示すように一本の指を上記操作部２１にあてがってこれを引張りスライドするだけである。
【００５１】
すなわち、図３（ｃ）に示したように、上記スライド本体２０を前方（図面では左方向）にスライドすると、その連結脚部２２、２２も一緒に移動するが、このとき前記連結脚部２２、２２は、上記ガイド壁溝１５によってガイドされているので、上記スライド本体２０は、真っ直ぐに前方へスライドすることができる。
【００５２】
やがて、上記ストッパー部２３が、上記一対の鍔片１１ｂ、１１ｂによってそのスライドを規制されると同時に、このストッパー部２３は、ストッパー挟持片１１ｃ、１１ｃと密接に嵌合する。
【００５３】
一方、この嵌合と同じに上記弾性抱持爪２２ａ、２２ａは、カチッという音を発して上記ガイド壁溝１５の凹所１５ａに嵌まり込む。
【００５４】
この嵌合によって、上記第１ブロック１の脚部１１先端に設けた上記弾性爪１１ａ、１１ａが、この脚部１１の弾性による内側への付勢ができない状態に規制されるので、上記スライド本体３１を前後に移動することができずロック状態となる。
【００５５】
なお、このロック状態を上述のアンロック状態にするには、これと逆の操作をすれば足りる。
【発明の効果】
本発明によれば、次のような効果がある。
【００５６】
請求項１に係る雨樋支持具によれば、樋支持具本体に設けた空洞部にロック機構を収容できるため、外観をシンプルでスマートな構造にできる。
【００５７】
また、ロック機構の上記操作部を水平に前後移動させて上記樋支持具本体のスライドをロック又はアンロック状態とする構造であるため、従来のようなプレートを必要とせず、しかも指一本で簡単且つ確実な操作を行うことができる。
【００５８】
さらにロック機構は、第１ロック部と第２ロック部とを一体的に結合した簡易な構造にできる。
【００５９】
請求項２に係る雨樋支持具によれば、第２ロック部材の弾性抱持爪が、ガイド壁溝の凹所に嵌入されたときにクリック音が発生するので、ロック時の感触をその音とともに得ることができる。
【００６０】
請求項３に係る雨樋支持具によれば、請求項１、２のいずれかにおいて、上記雨樋支持具本体に形成された凹凸レールが、山部と谷部を一定ピッチで連続させた波形形状に形成された構造になっているので、上記弾性爪が山部、谷部に当接しながら弾性変形して移動し、調節時にカチカチというクリック音を発生しながら段階的にスライドし、位置決めが容易で操作感覚もよい。
【図面の簡単な説明】
【図  １】本発明に係る雨樋支持具Ａの一実施例を示す斜視図
【図  ２】本発明に係る雨樋支持具の一実施例の要部を示す拡大分解斜視図
【図  ３】（ａ）〜（ｃ）は、ロック機構Ｒの動作を示す概略平面図
【図  ４】図３（ｂ）の状態を中央で長さ方向に縦切断した状態を部分拡大した中央縦断面図
【図  ５】特許公報第２７４５１２０号に開示された従来の雨樋支持具の要部を示す拡大断面図
【図  ６】実用新案登録公報第３０５００９８号に開示された従来の雨樋支持具の要部を示す拡大断面図
【符号の説明】
Ａ   雨樋支持具
Ｒ ロック機構
Ｋ    開口
１   第１ロック部材
１０  本体部
１１  脚部
１１ａ弾性爪
１１ｂ鍔片
１１ｃストッパー挟持片
１５  ガイド壁溝
１５ａ凹所
２    第２ロック部材
２１  操作部
２２  連結脚部
２２ａ弾性抱持爪
２３  ストッパー部
３    樋支持具本体
３１ａ樋取付部
３２  ガイド長孔
３４  凹凸レール
３４ａ谷部
３５  空洞部
４    取付杆
５    連結部材
【図１】
0004174128.tif 000002
【図２】
0004174128.tif 000003
【図３】
0004174128.tif 000004
【図４】
0004174128.tif 000005
【図５】
0004174128.tif 000006
【図６】
0004174128.tif 000007